(57)【特許請求の範囲】
【請求項１】
点状光源と、前記点状光源が配置される入光面及び該入光面から入光した前記点状光源からの光を面状に出射する出射面を有する導光板と、前記導光板の前記出射面上に配置され、前記出射面から出射した光の方向を所定の方向に変更するための複数の第１の線状プリズムが、前記出射面側を向く面に形成された第１のプリズムシートと、前記第１のプリズムシート上に配置され、前記第１の線状プリズムの延在方向と直交する方向に延在して前記第１のプリズムシートから出射した光を２方向に分岐するための複数の第２の線状プリズムが、前記第１のプリズムシートを向く面に形成された第２のプリズムシートと、を備えており、
前記第１のプリズムシートの複数の前記第１の線状プリズムが形成された面の反対側の面に形成され、前記第１の線状プリズムに平行に延び、かつ、延在方向に直交する断面の外形が円弧状の第１の凸部、及び、前記第２のプリズムシートの複数の前記第２の線状プリズムが形成された面の反対側の面に形成され、前記第２の線状プリズムに平行に延び、延在方向に直交する断面の外形が円弧状の第２の凸部のいずれか一方または両方をさらに備え、
前記第１の凸部の外周面の最大傾斜角度は、４０°以下であり、前記第２の凸部の外周面の最大傾斜角度は、６０°以下であることを特徴とする面状照明装置。
【請求項２】
前記第２のプリズムシートに形成された複数の前記第２の線状プリズムの頂角は、７０°以上かつ１１０°以下であることを特徴とする請求項１に記載の面状照明装置。
【請求項３】
前記第１の凸部及び前記第２の凸部のうちのいずれか一方のみを備えており、前記第１のプリズムシート及び前記第２のプリズムシートのうちの凸部を有していない方が備える線状プリズムの先端部分は、該線状プリズムの延在方向に直交する断面の外形が円弧状に形成されることを特徴とする請求項１または２に記載の面状照明装置。」
【発明の詳細な説明】
【技術分野】
【０００１】
本発明は、方向によって異なる視野角特性を備えた面状照明装置に関する。
【背景技術】
【０００２】
従来、面状照明装置をバックライトとして用いた表示装置において、方向によって異なる視野角特性が要求されるものがあり、その典型的な例として、自動車のインストルメントパネルの中央部（運転席と助手席との間）に設置される表示装置が挙げられる。このような表示装置では、その表示画像がフロントウィンドウに写り込むことにより運転者の視界を遮ることを防止するため、上下方向には比較的狭い視野角を有することが要求される。
さらに、このような表示装置では、多くの場合（例えば、カーナビゲーションシステム用の表示装置等）、運転者及び助手席に座る同乗者の双方からの視認性が良好であることが求められ、このため、左右方向には比較的広い視野角を有することが要求される。
【０００３】
従来、このような表示装置において、上下方向に比較的狭くかつ左右方向に比較的広い視野角を実現するために、微細なルーバー構造体を備えた光学フィルム（以下、ルーバーフィルムともいう）を用いて、面状照明装置からの出射光について上下方向の出射角度範囲を制限する技術が、一般に用いられている（例えば、特許文献１参照）。
【０００４】
また、このような表示装置において、運転者及び助手席に座る同乗者の双方からの視認性をさらに向上させるためには、単に左右方向の視野角を上下方向の視野角に対して広く保つだけではなく、表示装置の左右方向の輝度分布を、運転席方向と助手席方向の２方向にピーク値を有するものとすることがさらに好ましい。このため、例えば、一方向に延在し、その方向に直交する方向に配列された複数の凸部を設けたプリズムシートを、上記凸部が上下方向に延在するように配置して、面状照明装置からの出射光を、上記プリズムシートを透過させることにより左右方向に屈折させて出射する技術も提案されている（例えば、特許文献２参照）。
【先行技術文献】
【特許文献】
【０００５】
【特許文献１】特開２００２−１２４１１２号公報
【特許文献２】特開２００７−３２８２８７号公報
【発明の概要】
【発明が解決しようとする課題】
【０００６】
しかしながら、従来の技術において一方向の視野角を狭めるために使用されるルーバーフィルムは、一般に高価な部材であり、それを用いた面状照明装置のコストが増大するという問題がある。また、上述したような表示装置において、上下方向及び左右方向の視野角特性及び輝度分布は、表示装置の使用条件等に応じて、柔軟に設計可能であることが望ましく、ルーバーフィルムを用いた方法には、このような設計の自由度に関して難点がある。
【０００７】
本発明は、上記課題に鑑み、安価に構成可能であり、かつ、方向によって異なる視野角特性を柔軟に設計可能な面状照明装置を提供することを目的とする。
【課題を解決するための手段】
【０００８】
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、さらに他の構成要素を付加したものについても、本願発明の技術的範囲に含まれ得るものである。
【０００９】
（１）点状光源と、前記点状光源が配置される入光面及び該入光面から入光した前記点状光源からの光を面状に出射する出射面を有する導光板と、前記導光板の前記出射面上に配置され、前記出射面から出射した光の方向を所定の方向に変更するための複数の第１の線状プリズムが、前記出射面側を向く面に形成された第１のプリズムシートと、前記第１のプリズムシート上に配置され、前記第１の線状プリズムの延在方向と直交する方向に延在して前記第１のプリズムシートから出射した光を２方向に分岐するための複数の第２の線状プリズムが、前記第１のプリズムシートを向く面に形成された第２のプリズムシートと、を備えており、前記第１のプリズムシートの複数の前記第１の線状プリズムが形成された面の反対側の面に形成され、前記第１の線状プリズムに平行に延び、かつ、延在方向に直交する断面の外形が円弧状の第１の凸部、及び、前記第２のプリズムシートの複数の前記第２の線状プリズムが形成された面の反対側の面に形成され、前記第２の線状プリズムに平行に延び、延在方向に直交する断面の外形が円弧状の第２の凸部のいずれか一方または両方をさらに備え、前記第１の凸部の外周面の最大傾斜角度は、４０°以下であり、前記第２の凸部の外周面の最大傾斜角度は、６０°以下であることを特徴とする面状照明装置。
【００１０】
本項に記載の面状照明装置によれば、導光板の出射面から出射した光は、複数の第１の線状プリズムによって、第１の線状プリズムの延在方向に直交する面内における輝度分布を広げることなく、その方向が所定の方向に変更されて第１のプリズムシートから出射され、さらに、第１のプリズムシートからの出射光は、複数の第２の線状プリズムによって、第２の線状プリズムの延在方向に直交する面内において２方向に分岐して、第２のプリズムシートから出射されることになる。
【００１１】
本項に記載の面状照明装置では、これによって、第１の線状プリズムの延在方向に直交する面内における視野角が比較的狭く、かつ、第２の線状プリズムの延在方向に直交する面内において、２方向にピーク値をとる輝度分布を有して比較的広い視野角を有する視野角特性が達成される。
【００１３】
本項に記載の面状照明装置によれば、第１のプリズムシートに形成された第１の凸部によって、第１のプリズムシートからの出射光の第１の線状プリズムに直交する面内における輝度分布を調整すること、及び、第２のプリズムシートに形成された第２の凸部によって、第２のプリズムシートからの出射光の、第２の線状プリズムに直交する面内における輝度分布を調整することのいずれか一方または両方が可能となる。
【００１４】
例えば、第１のプリズムシートに形成された第１の凸部は、第１のプリズムシートからの出射光の第１の線状プリズムに直交する面内における輝度分布を、第１の凸部が形成されていない場合と比較して広げるための調整機構として機能する。
これによって、第１の線状プリズムに直交する面内における視野角が必要以上に狭くなることを回避し、僅かな視点の移動によって画像の視認が困難となることを防止して、写り込み等の条件によって許容される範囲内で、表示装置の視認性を向上させることが可能となる。
【００１５】
また、第２のプリズムシートに形成された第２の凸部は、第２のプリズムシートからの出射光の第２の線状プリズムに直交する面内における輝度分布において、輝度がピーク値を取る２つの角度の間の輝度を、第２の凸部が形成されていない場合と比較して、相対的に増大させるための調整機構として機能する。
これによって、第２の線状プリズムに直交する面内での輝度の配光角に対する変化の急峻性を緩和し、表示装置の視認性を向上させることが可能となる。
【００１６】
本項に記載の面状照明装置では、このように、第１のプリズムシート及び第２のプリズムシートを用いて、追加の部材を要することなく、第１及び第２の線状プリズムに直交する面内における視野角特性を、互いに独立かつ柔軟に設計することが可能となる。
【００１８】
（２）（１）項に記載の面状照明装置において、前記第２のプリズムシートに形成された複数の前記第２の線状プリズムの頂角は、７０°以上かつ１１０°以下であることを特徴とする面状照明装置（請求項２）。
【００１９】
（３）（１）または（２）項に記載の面状照明装置において、前記第１の凸部及び前記第２の凸部のうちのいずれか一方のみを備えており、前記第１のプリズムシート及び前記第２のプリズムシートのうちの凸部を有していない方が備える線状プリズムの先端部分は、該線状プリズムの延在方向に直交する断面の外形が円弧状に形成されることを特徴とする面状照明装置（請求項３）。
【発明の効果】
【００２０】
本発明に係る面状照明装置は、以上のように構成したことにより、安価に構成可能であり、かつ、方向によって異なる視野角特性を柔軟に設計可能な面状照明装置を提供することが可能となる。
【図面の簡単な説明】
【００２１】
【図１】（ａ）は、本発明の一実施形態における面状照明装置の要部を分解して示す斜視図であり、（ｂ）は、（ａ）に示す第１及び第２のプリズムシートを、それぞれ第１及び第２の線状プリズムの延在方向に直交する面で切断して示す断面図である。
【図２】（ａ）は、比較例に係る面状照明装置の２例について、上下方向の輝度分布を示すグラフであり、（ｂ）は、本発明の実施形態に係る面状照明装置の３例について、上下方向の輝度分布を示すグラフである。
【図３】（ａ）は、比較例に係る面状照明装置の２例について、左右方向の輝度分布を示すグラフであり、（ｂ）は、本発明の実施形態に係る面状照明装置の３例について、左右方向の輝度分布を示すグラフである。
【図４】本発明の一実施形態における面状照明装置が備える第１及び第２のプリズムシートの別の例を、それぞれ第１及び第２の線状プリズムの延在方向に直交する面で切断して示す断面図である。
【発明を実施するための形態】
【００２２】
以下、本発明の実施の形態を添付図面に基づいて説明する。尚、面状照明装置の全体または部分を示す各図は、いずれも説明のために特徴を強調して示す模式図であって、図示された各部分の相対的な寸法は、必ずしも実際の縮尺を反映するものではない。
【００２３】
図１は、本発明の一実施形態における面状照明装置の要部を示す側面図である。
図１に示す面状照明装置１０は、導光板１２と、点状光源１５とを備えるサイドライト型の面状照明装置である。導光板１２は、メタクリル樹脂やポリカーボネート樹脂等の透明樹脂材料を成形してなる平板状の導光体であり、点状光源１５は、導光板１２の一側端面（以下、入光面ともいう）１３に沿って配置されている。面状照明装置１０において、点状光源１５は、入光面１３の長手方向に沿って配列された複数の発光ダイオードからなるものである。
【００２４】
面状照明装置１０において、点状光源１５から入光面１３を通じて導光板１２へと入射した光は、導光板１２の一主面である出射面１２ａと出射面１２ａとは反対側の面（以下、裏面ともいう）１２ｂとの間で全反射を繰返しつつ、入光面１３と対向する側端面側へ向けて導光される。そして、導光板１２の裏面１２ｂには、入光面１３の長手方向と平行に延びる複数の線状プリズムからなる光路変更手段（図示は省略する）が形成されており、導光の過程で裏面１２ｂに入射した光の一部が光路変更手段によって反射され、臨界角以下の入射角でもって出射面１２ａに到達することにより、入光面１３から入射した光が、出射面１２ａからの出射光として面状に出射されるものである。
【００２５】
そして、導光板１２の裏面１２ｂ側には光学シート１８が配置されており、この光学シート１８は、好ましくは、銀反射シートまたは誘電体多層膜等の正反射部材（例えば、反射率９８％以上）、または、黒色ＰＥＴフィルム等の、光吸収部材を含んでなる反射防止部材（例えば、反射率３０％以下）からなるものである。
【００２６】
また、導光板１２の出射面１２ａ側には、それぞれ透光性樹脂材料から形成された第１及び第２のプリズムシート１４、１６が積層配置されている。第１のプリズムシート１４は、導光板１２の出射面１２ａ上に配置され、出射面１２ａ側を向く面１４ｂには、導光板１２の入光面１５の長手方向と平行に延びる複数の第１の線状プリズム２２が形成されている（第１の線状プリズム２２の延在方向を矢印Ａで示す）。また、第２のプリズムシート１６は、第１のプリズムシート１４上に配置され、第１のプリズムシート１４を向く面１６ｂには、第１の線状プリズム２２の延在方向Ａと直交する方向（矢印Ｂで示す）に延びる第２の線状プリズム２６が形成されている。
【００２７】
ここで、第１のプリズムシート１４と第２のプリズムシート１６は、後述する相違点を除いて、その基本的構成は共通のものであるため、図１（ｂ）には、第１のプリズムシート１４を、第１の線状プリズム２２の延在方向Ａに直交する平面で切断して示す断面図、及び、第２のプリズムシート１６を、第２の線状プリズム２６の延在方向Ｂに直交する平面で切断して示す断面図を、１つの共通の図として示している。
【００２８】
また、以下では、面状照明装置１０を自動車のインストルメントパネルに設置される表示装置のバックライトとして使用する場合に準じて、第１の線状プリズム２２の延在方向Ａを左右方向、第２の線状プリズム２６の延在方向Ｂを上下方向、及び、導光板１２の出射面１２ａに直交し、裏面１２ｂ側から出射面１２ａ側に向かう方向を、正面方向ともいう。
【００２９】
図１（ｂ）に示すように、第１及び第２の線状プリズム２２、２６は、それぞれの延在方向Ａ、Ｂに直交する断面の外形が二等辺三角形からなるものである。そして、第１の線状プリズム２２と第２の線状プリズム２６とは、第１の線状プリズム２２が、その頂角αが６５°程度となるように形成され、第２の線状プリズム２６は、その頂角が７０°以上かつ１１０°以下（例えば、９５°程度）となるように形成される点で相違する。
【００３０】
さらに、本実施形態において、第１のプリズムシート１４の、第１の線状プリズム２２が形成された面１４ｂの反対側の面１４ａには、第１の線状プリズム２２に平行に延びる複数の第１の凸部２４が形成され、第２のプリズムシート１６の、第２の線状プリズム２６が形成された面１６ｂの反対側の面１６ａには、第２の線状プリズム２６に平行に延びる複数の第２の凸部２８が形成されている。
【００３１】
第１及び第２の凸部２４、２８は、それぞれの延在方向Ａ、Ｂに直交する断面の外形が円弧からなるものである。そして、第１の凸部２４と第２の凸部２８とは、第１の凸部２４が、その外周面の最大傾斜角度βが４０°以下（例えば、３０°程度）となるように形成され、第２の凸部２８は、その外周面の最大傾斜角度βが６０°以下（例えば、４０°程度）となるように形成される点で相違する。
【００３２】
ここで、第１及び第２の凸部２４、２８の外周面の最大傾斜角度は、図１（ｂ）に示す断面において、第１及び第２の凸部２４、２８の仮想底面ｍと、第１及び第２の凸部２４、２８の外周の接線とがなす角のうち鋭角の方（以下、接線角度ともいう）が最大となる角度であり、具体的には、第１及び第２の凸部２４、２８の外周面と仮想底面ｍとの交点における接線角度となる。
【００３３】
以上のように構成された面状照明照明装置１０において、導光板１２の裏面１２ｂに形成された光路変更手段は、裏面１２ｂに入射した光を、臨界角よりも僅かに小さく、かつ、導光板１２全体にわたってほぼ等しい入射角でもって、出射面１２ａに到達するように反射する。これによって、導光板１２の出射面１２ａから出射される光は、狭い輝度分布を有して、導光板１２の出射面１２ａから出射面１２ａに略平行に（但し、出射面１２ａから僅かに立ち上がるように）出射されることになる。
【００３４】
次いで、導光板１２の出射面１２ａからの出射光は、線状プリズム２２の形成面１４ｂから第１のプリズムシート１４に入射し、第１の線状プリズム２２よって、入射光の方向が正面方向に変更される。この際、第１の線状プリズム２２は、導光板１２の出射面１２ａから出射される光の狭い輝度分布を維持しつつ、その方向のみを変更するものである。そして、第１の線状プリズム２２によって正面方向に進行方向が変更された光は、第１の凸部２４の形成面１４ａから第１のプリズムシート１４を出射し、その際、第１の凸部２４の延在方向Ａに直交する面内における輝度分布は、第１の凸部２４によって、その広がりが拡大するように調整される。
【００３５】
次いで、第１のプリズムシート１４からの出射光は、第２の線状プリズム２６の形成面１６ｂから第２のプリズムシート１６に入射し、第２の線状プリズム２６よって、入射光の方向が左右２方向に分岐される。具体的には、第２の線状プリズム２６は、第２のプリズムシート１６に入射した光の、第２の線状プリズム２６の延在方向Ｂに直交する面内における輝度分布を、第１の線状プリズム２２の延在方向Ａに直交する面内における輝度分布よりも広げるとともに、その輝度分布を、正面方向に対して略対称な２方向に輝度のピーク値を取る分布形状に変換するものである。
【００３６】
そして、第２の線状プリズム２６によって輝度分布が変換された光は、第２の凸部２８の形成面１６ａから第２のプリズムシート１６を出射し、その際、第２の凸部２８の延在方向Ｂに直交する面内における輝度分布は、第２の凸部２８によって、その正面方向の輝度が、輝度のピーク値に対して相対的に増大するように調整される。
【００３７】
尚、図１（ｂ）に示す例では、第１及び第２のプリズムシート１４、１６は、それぞれ第１及び第２の凸部２４、２８を有するものとしたが、面状照明装置１０は、第１の凸部２４の延在方向Ａに直交する面内における上述したような輝度分布の調整作用、及び、第２の凸部２８の延在方向Ｂに直交する面内における上述したような輝度分布の調整作用のいずれか一方または両方を特に要しない場合には、対応する第１の凸部２４及び第２の凸部２８のいずれか一方を有しないものであってもよい。
【００３８】
また、第１及び第２の線状プリズム２２、２６の頂角α、及び、第１及び第２の凸部２４、２８の最大傾斜角度βは、第１及び第２の線状プリズム２２、２６、及び、第１及び第２の凸部２４、２８のそれぞれが上述したような機能を果たす限り、使用条件等に応じて、上述した範囲内において任意の適切な値に設定されるものである。
【００３９】
次に、図２及び図３を参照して、以上のような面状照明装置１０の作用効果について、より具体的に説明する。ここで、図２は、本実施形態における面状照明装置１０の構成例と比較例について、左右方向Ａに直交する面内での輝度分布を示すグラフであり、図２に示す輝度分布の広がりが、上下方向の視野角の広さに対応する。図２において、横軸は、正面方向を０°とする配光角（角度）を示し、縦軸は、ピーク値を１とする相対値で表した輝度（ピーク輝度比）を示す。また、図２（ａ）は、比較例のサンプル（サンプル番号Ｓ１及びＳ２）の輝度分布、図２（ｂ）は、本実施形態における面状照明装置１０の構成例（サンプル番号Ｓ３、Ｓ４、及びＳ５）の輝度分布である。
【００４０】
同様に、図３は、本実施形態における面状照明装置１０の構成例と比較例について、上下方向Ｂに直交する面内での輝度分布を示すグラフであり、図３に示す輝度分布の広がりが、左右方向の視野角の広さに対応する。図３において、横軸は、正面方向を０°とする配光角（角度）を示し、縦軸は、ピーク値を１とする相対値で表した輝度（ピーク輝度比）を示す。また、図３（ａ）は、上述した比較例のサンプルＳ１、Ｓ２の輝度分布、図３（ｂ）は、上述した本実施形態における面状照明装置１０の構成例のサンプルＳ３、Ｓ４、及びＳ５の輝度分布である。
【００４１】
ここで、比較例のサンプルＳ１は、導光板上に、導光板を向く側とは反対側の面にプリズムが形成された光学シート（以下、輝度向上フィルムともいう）を配置した構成、比較例のサンプルＳ２は、比較例Ｓ１の構成に対して、さらに、輝度向上フィルム上に上下方向の視野角を制限するルーバーフィルムを積層した構成である。
【００４２】
また、本実施形態における面状照明装置１０の構成例の１つであるサンプルＳ３は、図１（ｂ）を参照して上述した第１及び第２の凸部２４、２８のうち、第２の凸部２８のみを有している構成、サンプルＳ４は、第１の凸部２４のみを有している構成、サンプルＳ５は、第１及び第２の凸部２４、２８の両方を有している構成である。
【００４３】
ここで、各サンプルＳ３、Ｓ４、Ｓ５を通じて、第１の線状プリズム２２の頂角αは６５°、第２の線状プリズム２６の頂角αは９５°とした。また、サンプルＳ３、Ｓ５において、第２の凸部２８の最大傾斜角度βは、４０°とし、サンプルＳ４、Ｓ５において、第１の凸部２４の最大傾斜角度βは、３０°とした。
【００４４】
また、導光板の裏面側に配置される光学シートは、比較例のサンプルＳ１、Ｓ２については、車載用表示装置のバックライトにおいて通常使用される拡散反射部材（白色ＰＥＴフィルム）とし、本実施形態に係る構成例のサンプルＳ３、Ｓ４、Ｓ５については、反射防止部材（黒色ＰＥＴフィルム）とした。
【００４５】
図２（ａ）に示すように、比較例のサンプルＳ１とサンプルＳ２の比較から、ルーバーフィルムを使用した場合（サンプルＳ２）には、使用しない場合（サンプルＳ１）と比較して、輝度分布の広がりが狭くなることが分かる。また、サンプルＳ２の輝度分布では、サンプルＳ１の輝度分布に見られるサイドローブも消失することが分かる。すなわち、輝度の半値角によって視野角を表すものとすれば、サンプルＳ２では、ルーバーフィルムの作用により、上下方向の視野角が、半値角で±３０°以内（±１５°程度）に狭められるものであるといえる。
【００４６】
そして、本実施形態に係る構成例のサンプルＳ３、Ｓ４、Ｓ５は、図２（ｂ）に示すように、いずれの場合についても、ルーバーフィルムを用いたサンプルＳ２と同様に、上下方向の視野角を狭める作用を有することが分かる。特に、第１の凸部２４を有していないサンプルＳ３では、その上下方向の視野角は、半値角で±１０°程度となっており、視野角を狭める上で、ルーバーフィルムと同等以上の機能を有することが分かる。
【００４７】
さらに、図３（ａ）に示すように、比較例のサンプルＳ１とサンプルＳ２では、左右方向に、上下方向よりも広い視野角を有するものの、その輝度分布は、正面方向（０°方向）に輝度のピーク値を取り、配光角が大きくなる(左右方向に広角になる）に従って輝度が減少するものである。これに対して、図３（ｂ）に示すように、本実施形態に係るサンプルＳ３、Ｓ４、Ｓ５では、左右方向に、上下方向よりも広い視野角を有するだけでなく、その輝度分布が、正面方向（０°方向）から対称な２方向（およそ±３０°方向）に輝度のピーク値を取る形状を有している。
【００４８】
本実施形態における面状照明装置１０は、高価なルーバーフィルムを用いることなく、上述したような上下方向と左右方向に異なる視野角特性を実現するものである。そして、本実施形態における面状照明装置１０を、自動車のインストルメントパネルの中央部（運転席と助手席との間）に設置される表示装置のバックライトとして使用した場合、上下方向の視野角を狭めることによって、表示画像がフロントウィンドウに写り込むことにより運転者の視界を遮ることを防止可能であるとともに、左右方向には、面状照明装置１０からの出射光を運転者及び助手席に座る同乗者の双方に対して効果的に振り分けて、双方からの視認性を顕著に向上させることが可能となる。
【００４９】
さらに、図２（ｂ）を参照して、本実施形態に係る構成例のサンプルＳ３とサンプルＳ５を比較すれば、第１の凸部２４を有する場合（サンプルＳ５）には、第１の凸部２４を有しない場合（サンプルＳ３）と比較して、上下方向の視野角は、半値角で±１８°程度にまで広がることが分かる。
【００５０】
本実施形態における面状照明装置１０では、このような第１の凸部２４の調整作用によって、上下方向の視野角が必要以上に狭くなることを回避し、僅かな視点の移動によって画像の視認が困難となることを防止して、写り込み等の条件によって許容される範囲内で、表示装置の視認性を向上させることが可能となる。
【００５１】
そして、サンプルＳ３とサンプルＳ５について、図３（ｂ）に示す輝度分布を比較すれば、両者はほぼ同一の輝度分布を有するものであることから、第１の凸部２４による上下方向の視野角特性の調整作用は、左右方向の視野角特性に影響を及ぼすことはなく、第１の凸部２４によって、上下方向の視野角特性を、左右方向の視野角特性とは独立に制御可能であることが分かる。
【００５２】
また、図３（ｂ）を参照して、本実施形態に係る構成例のサンプルＳ４とサンプルＳ５を比較すれば、第２の凸部２８を有する場合（サンプルＳ５）には、第２の凸部２８を有しない場合（サンプルＳ４）と比較して、正面方向（０°方向）のピーク輝度比が大幅に増大することが分かる。
【００５３】
本実施形態における面状照明装置１０では、このような第２の凸部２８の調整作用によって、左右方向の視野角特性について、配光角に対して輝度が急峻に変化することを防止して、表示装置の視認性を向上させることが可能となる。
【００５４】
そして、サンプルＳ４とサンプルＳ５について、図２（ｂ）に示す輝度分布を比較すれば、両者は、上下方向にほぼ同等の視野角を有するものであることから、第２の凸部２８による左右方向の視野角特性の調整作用は、上下方向の視野角特性に影響を及ぼすことはなく、第２の凸部２８によって、左右方向の視野角特性を、上下方向の視野角特性とは独立に制御可能であることが分かる。
【００５５】
ここで、本実施形態における面状照明装置１０において、第１のプリズムシート１４に第１の凸部２４を形成しない場合、図４に示すように、第１の線状プリズム３２の先端部分３３を、その延在方向に直交する断面の外形が円弧状となるように形成するものであってもよい。同様に、第２のプリズムシート１６に第２の凸部２８を形成しない場合、図４に示すように、第２の線状プリズム（同様に符号３２で示す）の先端部分３３を、その延在方向に直交する断面の外形が円弧状となるように形成するものであってもよい。
この場合、第１及び第２の線状プリズム３２の先端部分が、それぞれ第１の凸部２４及び第２の凸部２８と同様の作用効果を奏するものである。
【符号の説明】
【００５６】
１０：面状照明装置、１２：導光板、１２ａ：出射面、１３：入光面、１４：第１のプリズムシート、１５：点状光源、１６：第２のプリズムシート、１８：光学シート、２２：第１の線状プリズム、２４：第１の凸部、２６：第２の線状プリズム、２８：第２の凸部
【図１】
0005769575.tif 000002
【図２】
0005769575.tif 000003
【図３】
0005769575.tif 000004
【図４】
0005769575.tif 000005